(57)【要約】      （修正有）【課題】電子装置の背面に位置する接続ポートへの挿入接続を容易にする接続ポート拡張装置を提供する。【解決手段】接続ポート拡張装置は、拡張筐体１１０及び拡張回路モジュールを含む。拡張筐体は、互いに接続されたホルダ部１１１と延在部１１２を含む。ホルダ部と延在部は連通して、内部に拡張回路モジュールを収容する。ホルダ部は、ホルダ部先端に位置する少なくとも１つの下流開口１１４、延在部末端に位置する１つ又は複数の上流開口、及びホルダ部上端に位置する位置決め溝１１６を含む。拡張回路モジュールは、下流開口に設けられた少なくとも１つの下流ポート１３１及び１つ又は複数の上流ポート１３２を含む。上流ポートは、上流開口を通り拡張筐体から突出する。装着状態において、上流ポートが接続ポートと接合され、装置筐体の下縁の一部が位置決め溝中に位置する。【選択図】図２
0003189376.tif 000002
【実用新案登録請求の範囲】
【請求項１】
装置筐体の背面に接続ポートが設けられた電子装置に適用される接続ポート拡張装置であって、
互いに接続されたホルダ部及び延在部を含むと共に、前記ホルダ部の内部と前記延在部の内部とが互いに連通して収容空間を形成する拡張筐体において、前記ホルダ部が、前記ホルダ部の先端に位置する少なくとも１つの下流開口と、前記延在部の末端に位置する上流開口と、前記ホルダ部の上端に位置する位置決め溝と、を含む拡張筐体と、
前記収容空間内に設けられる拡張回路モジュールにおいて、前記少なくとも１つの下流開口設置にそれぞれ対応する少なくとも１つの下流ポートと、前記上流開口を通って前記拡張筐体から突出することで、装着状態において、前記接続ポートと接合し、且つ前記装置筐体の下縁の一部が前記位置決め溝中に位置する上流ポートと、を含む拡張回路モジュールと、
を含むことを特徴とする接続ポート拡張装置。
【請求項２】
前記位置決め溝は、
前記位置決め溝の底部に位置する底面と、
前記ホルダ部の先端に近接すると共に前記底面に接続され、前記装着状態において前記装置筐体の前表面と接触する前側面と、
前記底面に接続されると共に前記前側面に対向する後側面と、
前記前側面と前記底面との接続箇所に設けられると共に、高さが前記前側面の高さよりも低く、前記装着状態において前記装置筐体の下表面と接触するストッパーと、
を含むことを特徴とする請求項１に記載の接続ポート拡張装置。
【請求項３】
前記位置決め溝は、一端が前記ストッパーに接続される複数の凸リブを更に含むことを特徴とする請求項２に記載の接続ポート拡張装置。
【請求項４】
前記複数の凸リブの高さは、前記ストッパーの高さよりも低いことを特徴とする請求項３に記載の接続ポート拡張装置。
【請求項５】
各前記複数の凸リブの長さは、前記位置決め溝の前記後側面から前記ストッパーまでの間の距離よりも短いことを特徴とする請求項３に記載の接続ポート拡張装置。
【請求項６】
前記複数の凸リブによって仕切られ形成された複数の放熱空間は、前記装着状態において前記装置筐体の複数の放熱孔に対応することを特徴とする請求項３に記載の接続ポート拡張装置。
【請求項７】
前記上流ポートの接合方向と前記延在部の延在方向との間は鋭角であることを特徴とする請求項１に記載の接続ポート拡張装置。
【請求項８】
前記延在部は、前記ホルダ部の後端から上向きに湾曲して延在されることを特徴とする請求項１に記載の接続ポート拡張装置。
【請求項９】
前記拡張筐体は、前記ホルダ部と前記延在部との間の湾曲箇所に位置する配置溝を更に含むことを特徴とする請求項８に記載の接続ポート拡張装置。
【請求項１０】
前記湾曲箇所は、弧面を成していることを特徴とする請求項９に記載の接続ポート拡張装置。
【請求項１１】
前記延在部の幅は、前記ホルダ部に隣接する一端から前記延在方向に漸減することを特徴とする請求項１に記載の接続ポート拡張装置。
【請求項１２】
前記延在部は、前記上流開口に対応する両側が内側に凹んで首部が形成されることを特徴とする請求項１に記載の接続ポート拡張装置。
【請求項１３】
前記ホルダ部は、前記ホルダ部の上端に位置し、それぞれの開口端が前記位置決め溝に連通すると共に、前記延在部に向かって延在する、複数の気流通路を更に含むことを特徴とする請求項１に記載の接続ポート拡張装置。
【請求項１４】
前記些開口端は、前記装着状態においてそれぞれ前記装置筐体の複数の放熱孔に対応することを特徴とする請求項１３に記載の接続ポート拡張装置。
【請求項１５】
前記位置決め溝は、一端が前記ストッパーに接続されると共に、２つの隣接する前記複数の気流通路の仕切り箇所に対向する、複数の凸リブを更に含むことを特徴とする請求項１４に記載の接続ポート拡張装置。
【請求項１６】
前記拡張筐体は、上下の蓋が分離する構造であり、嵌合又はそれにロック固定が併用されることを特徴とする請求項１に記載の接続ポート拡張装置。
【考案の詳細な説明】
【技術分野】
【０００１】
本考案は、拡張装置に関し、特に接続ポート拡張装置に関する。
【背景技術】
【０００２】
科学技術の発展により、ディスプレイ、オールインワンパソコン（Ａｌｌ  Ｉｎ  Ｏｎｅ  Ｄｅｓｋｔｏｐ）といった多くの電子装置において、異なるインターフェースの接続ポートが設けられることが一般的となっている。製造メーカは、往々にして美観のためにこれら接続ポートを電子装置の背面に設ける。しかしながら、ユーザは、他の装置をこれら接続ポートに挿入接続する必要がある場合、労力を費やして電子装置の後方まで手を伸ばさなければならない。特に壁掛式ディスプレイのように壁面に掛けられている場合には、ユーザが接続ポートに挿入接続する動作を行うことができる十分な空間がないことになる。
【先行技術文献】
【特許文献】
【０００３】
【特許文献１】特開２０１２−０２７８９６号、要約
【考案の概要】
【考案が解決しようとする課題】
【０００４】
従って、背面に位置する接続ポートに挿入接続しにくい困難さを如何にして解消するかが、当業者において急ぎ解決が望まれる課題となっている。
【課題を解決するための手段】
【０００５】
以上の課題に鑑みて、本考案は、前述した電子装置の背面に位置する接続ポートへの挿入接続が不便である課題を解決することが可能な接続ポート拡張装置を提供することを課題とする。
【０００６】
本考案に係る実施例において、電子装置に適用される接続ポート拡張装置を提供する。電子装置の装置筐体の背面には、１つ又は複数の接続ポートが設けられる。接続ポート拡張装置は、拡張筐体及び拡張回路モジュールを含む。
【０００７】
拡張筐体は、互いに接続されたホルダ部及び延在部を含む。ホルダ部の内部と延在部の内部とは互いに連通して収容空間を形成する。ホルダ部は、ホルダ部先端に位置する少なくとも１つの下流開口、延在部末端に位置する１つ又は複数の上流開口及びホルダ部上端に位置する位置決め溝を含む。
【０００８】
拡張回路モジュールは、収容空間内に設けられ、少なくとも１つの下流ポート及び１つ又は複数の上流ポートを含む。下流ポートは、それぞれ下流開口に対応して設けられる。上流ポートは、上流開口を通って拡張筐体から突出する。装着状態において、上流ポートが接続ポートと接合され、且つ装置筐体の下縁の一部が位置決め溝中に位置する。
【考案の効果】
【０００９】
本考案に係る接続ポート拡張装置では、電子装置の後方に位置する接続ポートの挿入接続方向が電子装置の前方に向くようにすることができ、使用において便利となる。更に、接続ポート拡張装置の湾曲箇所は、ユーザが下流ポートに接続される下流装置を收納するのに有利である。また、位置決め溝の構成によって、電子装置２００の放熱孔を塞ぐことを回避することができるとともに、排熱を補助することができる。また、１つ又は複数の上流ポートと、１つ又は複数の下流ポートと、それらと組み合わされた拡張回路モジュール（マルチプレクサ、ディマルチプレクサ及びプロトコル変換回路を含む）とを設けることによって、電子装置の接続ポートの機能と下流装置の接続数とを拡充することができる。
【図面の簡単な説明】
【００１０】
【図１】本考案の第１の実施例に係る接続ポート拡張装置の使用状態を示した図である。
【図２】本考案の第１の実施例に係る接続ポート拡張装置の斜視図である。
【図３】図２におけるＡ−Ａ’線に沿った断面図である。
【図４】本考案の第１の実施例に係る接続ポート拡張装置の分解図である。
【図５Ａ】本考案の第１の実施例に係る接続ポート拡張装置と電子装置の装着を示した図である。
【図５Ｂ】図５ＡにおけるＢエリアの局部拡大図である。
【図６】本考案の第１の実施例に係る接続ポート拡張装置の変更例を示した図である。
【図７】本考案の第１の実施例に係る接続ポート拡張装置の他の斜視図である。
【図８】本考案の第１の実施例に係る接続ポート拡張装置と電子装置の装着の変更例を示した図である。
【図９Ａ】本考案の第２の実施例に係る接続ポート拡張装置と電子装置の装着を示した図である。
【図９Ｂ】図９ＡにおけるＣエリアの局部拡大図である。
【図１０】本考案の第３の実施例に係る接続ポート拡張装置の斜視図である。
【図１１】本考案の第４の実施例に係る接続ポート拡張装置の斜視図である。
【図１２】本考案の第５の実施例に係る接続ポート拡張装置の斜視図である。
【図１３】本考案の第６の実施例に係る接続ポート拡張装置の斜視図である。
【考案を実施するための形態】
【００１１】
以下において言及する空間関係の専門用語、例えば「先端」、「上端」等は、図面に示す要素又は特徴と他の要素又は特徴を記述するための簡単な関係の説明である。これら空間関係の専門用語の語意には、図面に描画する方向の外、外部に使用される又は組み合わされる装置の異なる方向が含まれることを理解すべきである。例えば、図面における装置が裏返されると、他の要素又は特徴との関係が「下面の」と記述された要素は、他の要素又は特徴との関係が「上面の」ものとして形成されるように変わる。従って、表示性の専門用語である「下面の」には、「〜の上」及び「〜の下」という方向を含むことができる。図面に描画される装置は、その他の方向づけ（例えば９０度回転又は他の方向に位置する）としてもよく、使用された空間関係の記述に合わせてその相対的方向を解釈することができる。
【００１２】
図１を参照して説明する。図１は、本考案の第１の実施例に係る接続ポート拡張装置１００の使用状態を示した図である。
【００１３】
接続ポート拡張装置１００は、電子装置２００に適用することができる。電子装置２００の装置筐体２１０の背面２２０には、接続ポート２３０が設けられている。電子装置２００は、例えば液晶ディスプレイ又はオールインワンパソコン等の装置であってよい。接続ポート２３０は、ユニバーサルシリアルバス（ＵＳＢ）又はオーディオ用ソケット等と互換性を有するものであってよい。
【００１４】
図２乃至図４を併せて参照して説明する。図２は、本考案の第１の実施例に係る接続ポート拡張装置１００の斜視図である。図３は、図２におけるＡ−Ａ’線に沿った断面図である。図４は、本考案の第１の実施例に係る接続ポート拡張装置１００の分解図である。
【００１５】
接続ポート拡張装置１００は、拡張筐体１１０及び拡張回路モジュール１３０を含む。拡張筐体１１０は、互いに接続されたホルダ部１１１及び延在部１１２を含む。ホルダ部１１１の内部と延在部１１２の内部とが互いに連通して収容空間１１３を形成する。
【００１６】
ホルダ部１１１は、少なくとも１つの下流開口１１４（本実施例においては複数の下流開口１１４）及び上流開口１１５を含む。下流開口１１４は、ホルダ部１１１の先端に位置する。上流開口１１５は、延在部１１２の末端に位置する。ホルダ部１１１は、ホルダ部１１１の上端に位置する位置決め溝１１６を更に含む。本実施例において、ホルダ部１１１は、概ね長方体形状である。
【００１７】
拡張回路モジュール１３０は、収容空間１１３内に設けられる。拡張回路モジュール１３０は、少なくとも１つの下流ポート１３１（本実施例においては複数の下流ポート１３１）及び上流ポート１３２を含む。下流ポート１３１は、それぞれ下流開口１１４に対応して設けられる。上流ポート１３２は、上流開口１１５を通って拡張筐体１１０から突出する。これにより、装着状態において、上流ポート１３２と接続ポート２３０とが接合されると共に、装置筐体２１０の下縁の一部が位置決め溝１１６中に位置する（図５Ａに示す）。
【００１８】
図５Ａは、本考案の第１の実施例に係る接続ポート拡張装置１００と電子装置２００の装着を示した図であり、側面から見た局部を示す図である。図５Ｂは、図５ＡにおけるＢエリアの局部拡大図である。
【００１９】
図５Ａ及び図５Ｂを併せて参照して説明する。ユーザが下流装置（又は下流装置の接続端子）を下流ポート１３１に接続しようとする場合、ホルダ部１１１が装置筐体２１０の前表面２４０の下縁に当接されることで、挿入接続時の前から後ろへの力が相殺される。更に、下流ポート１３１が電子装置２００の前方を向いているため、ユーザは、電子装置２００の後方にまで労力を費やして下流装置を接続ポート２３０に接続する必要がない。下流装置は、フラッシュディスク、ＩＣレコーダー又は携帯電話等であってもよい。
【００２０】
図４に示すように、拡張回路モジュール１３０は、下流ポート１３１と上流ポート１３２とが電気的に接続された回路基板１３３を更に含む。下流ポート１３１は、回路基板１３３上に設けられ、上流ポート１３２は、導線１３４を介して回路基板１３３上に接続される。回路基板１３３は、下流ポート１３１が下流装置に接続された場合に、下流装置と電子装置２００とが接続ポート拡張装置１００を介して互いに協同運作することができるように、マルチプレクサ／ディマルチプレクサを有してもよい。図面が過剰に煩雑となることを避けるために、図面においては回路基板１３３の細部構造（例えば配線、マルチプレクサ／ディマルチプレクサ等チップ及びその他の電子部品）は描出していない。
【００２１】
図２に示すように、下流ポート１３１と上流ポート１３２とは、同一の接続インターフェースであり、ここではいずれもＵＳＢインターフェースである。但し、本考案に係る実施例はこれに限定されず、下流ポート１３１と上流ポート１３２とは異なる接続インターフェースであってもよく、又は下流ポート１３１同士の間は異なる接続インターフェースであってもよい。例えば、上流ポート１３２はＵＳＢインターフェースであり、下流ポート１３１はイーサネット（登録商標）インターフェースであり、他の下流ポート１３１はＵＳＢインターフェースである。電子装置２００がＵＳＢインターフェースを介してイーサネット（登録商標）インターフェースを有するモデムと互いに通信することができるようにすべく、回路基板１３３はＵＳＢイーサネット（登録商標）プロトコル変換モジュールを更に有する必要がある。
【００２２】
図２に示すように、延在部１１２は、ホルダ部１１１の後端から上向きに湾曲して延在される。延在される距離はおよそ電子装置２００の接続ポート２３０から装置筐体２１０下端までの距離である。しかしながら、延在部１１２がホルダ部１１１のどの部位から延在されるかに応じて、延在される距離を適宜調整することができる。例えば、ホルダ部１１１の上端から延在される場合、延在距離はホルダ部１１１の後端から延在される距離よりも短くてもよく、装置筐体２１０の下縁の一部を装着状態において位置決め溝１１６中に位置させることができればよい。
【００２３】
図２に示すように、延在部１１２とホルダ部１１１との間の湾曲箇所１１７は、弧面を成している。但し、他の実施例において、湾曲箇所１１７には弧面ではない凹部を有してもよい。即ち、拡張筐体１１０は、ホルダ部１１１と延在部１１２との間の湾曲箇所１１７に位置する配置溝を更に含むことができる。これにより、ユーザは物品を配置溝中に配置することができる。例えば、携帯電話が伝送ケーブルを介して下流ポート１３１に接続される場合（例えば充電する場合）、携帯電話を湾曲箇所１１７に置くことで、収納として用いることができる。
【００２４】
図１に示すように、本実施例において、電子装置２００の接続ポート２３０の開口方向は、水平方向において若干下向きであり、接合がぴったり合うようにすべく、上流ポート１３２の接合方向Ｄ１と延在部１１２の延在方向Ｄ２との間には鋭角を挟む。但し、本考案に係る実施例はこれに限定されず、他の開口方向を有する接続ポート２３０が適用された電子装置２００では、接合方向Ｄ１と延在方向Ｄ２との間の角度は他の角度の鋭角であってもよく、又は直角若しくは鈍角であってもよい。
【００２５】
図２に示すように、延在部１１２は、その幅がホルダ部１１１に隣接する一端から延在方向Ｄ２（即ち、ホルダ部１１１から遠ざかる方向）に漸減して、扇形１１８を形成すると共に、扇形１１８の縮小端から幅が不変であるグリップ部１１９が延在される。但し、本考案に係る実施例はこれに限定されず、例えば１つの実施例において、延在部１１２のグリップ部１１９は、上流開口１１５（即ち、上流ポート１３２）に対応する両側が内側に凹んで首部１２０が形成されてもよい（図６に示す）。図６は、本考案の第１の実施例に係る接続ポート拡張装置１００の変更例を示した図である。
【００２６】
図４を参照して説明する。拡張筐体１１０は、上下の蓋が分離する構造（上蓋１２１及び下蓋１２２を含む）であってもよく、嵌合又はそれにロック固定が併用されてもよい。
【００２７】
次いで、位置決め溝１１６の細部結構を更に説明する。図５Ｂに示すように、位置決め溝１１６は、底面１２３、前側面１２４、後側面１２５及びストッパー１２６を含む。底面１２３は、位置決め溝１１６の底部に位置する。前側面１２４は、ホルダ部１１１の先端（即ち、延在部１１２から遠ざかる一端）に近接すると共に、底面１２３に接続され、装着状態において装置筐体２１０の前表面２４０と接触する。後側面１２５は、底面１２３に接続されると共に、前側面１２４と対向する（即ち、位置決め溝１１６の延在部１１２に近接する一端に位置する）。ストッパー１２６は、前側面１２４と底面１２３との接続箇所に設けられると共に、ストッパー１２６の高さは前側面１２４の高さよりも低く、装着状態において装置筐体２１０の下表面２５０と接触する。これにより、位置決め溝１１６の前側面１２４と装置筐体２１０の前表面２４０とが接触することによって、挿入接続の力と相反する反作用力を提供することができ、接続ポート拡張装置１１０が挿入接続の力によって後向きに移動することを回避することができる。同時に、電子装置２００の下表面２５０が複数の放熱孔２６０を有する可能性があることから、ストッパー１２６によって装置筐体２１０の下表面と位置決め溝１１６の底面１２３とが接触することを防止できることを介して、接続ポート拡張装置１１０が放熱孔２６０を塞ぐことを回避できると共に、気体を流動させる空間を保持することができる。
【００２８】
図７は、本考案の第１の実施例に係る接続ポート拡張装置１００の他の斜視図である。
【００２９】
図５Ａ、図５Ｂ及び図７を併せて参照して説明する。位置決め溝１１６は、複数の凸リブ１２７を更に含んでもよい。各凸リブ１２７の一端は、ストッパー１２６に接続される。各凸リブ１２７の長さは、位置決め溝１１６の後側面１２５からストッパー１２６までの間の距離よりも短い。また、凸リブ１２７の高さは、ストッパー１２６の高さと同一である。これにより、これらの凸リブ１２７によって仕切られ形成された複数の放熱空間が、装着状態において装置筐体２１０の放熱孔２６０に対応する。即ち、装着状態において、各放熱空間は、１つの放熱孔２６０の下方に位置する。
【００３０】
前側面１２４と後側面１２５とは、略平行に対向する。
【００３１】
図８を参照して説明する。図８は、本考案の第１の実施例に係る接続ポート拡張装置と電子装置の装着の変更例を示した図である。この例では、凸リブ１２７の高さは、ストッパー１２６の高さよりも低くてもよい。これにより、空気をより簡単に位置決め溝１１６の両側に向かって流出させることができる。
【００３２】
図９Ａは、本考案の第２の実施例に係る接続ポート拡張装置１００と電子装置２００の装着を示した図である。図９Ｂは、図９ＡにおけるＣエリアの局部拡大図である。
【００３３】
図９Ａ及び図９Ｂに示すように、後側面１２５は底面１２３からホルダ部１１１の後端に斜めに向かう斜面であってもよく、これによって斜面と電子装置２００の装置筐体２１０との間により大きな放熱空間を確保することができる。
【００３４】
図１０は、本考案の第３の実施例に係る接続ポート拡張装置１００の斜視図である。
【００３５】
図１０に示すように、本実施例は第１の実施例と略同じであり、相違点は、本実施例に係る接続ポート拡張装置１００のホルダ部１１１が複数の気流通路１２８を更に含むことである。
【００３６】
気流通路１２８は、ホルダ部１１１の上端に位置する。各気流通路１２８の開口端は、位置決め溝１１６に連通し、気流通路１２８は、延在部１１２に向かって延在される。気流通路１２８は、溝形態であってもよく（即ち、開口端が位置決め溝１１６の後側面１２５の上端辺縁に位置する）又は管形態であってもよい（即ち、開口端が位置決め溝１１６の後側面１２５の中間エリアに位置する）。これにより、位置決め溝の左右両側に向けて放熱される外、後ろ方向への放熱経路を追加することができ、放熱效果を高めることができる。
【００３７】
開口端は、装着状態においてそれぞれ装置筐体２１０の放熱孔２６０に対応する。即ち、開口端は、前述した放熱空間に対応して設けられる。換言すると、凸リブ１２７は、２つの隣接する気流通路１２８の仕切り箇所１２９に対向する。但し、本考案に係る実施例はこれに限定されず、他の実施例において、複数の気流通路１２８が１つの放熱孔２６０に対応するようにしてもよい。
【００３８】
上述した説明から分かるように、前述した実施例に係る接続ポート拡張装置１００は、背面２２０に接続ポート２３０を有する電子装置２００に適用することができると共に、単一の接続ポート２３０よりも多くの拡張機能を提供することができる。更に、ユーザは、電子装置２００の正面で下流装置を挿入接続することができる。上述した説明は、位置決め溝１１６が装置筐体２１０の前表面２４０の下縁に当接することを例としているが、本考案に係る実施例はこれに限定されず、位置決め溝１１６は、装置筐体２１０の前表面２４０の側辺又は上縁に当接されるようにしてもよく、前表面２４０と接触しさえすればよい。
【００３９】
次いで、本考案の第４の実施例に係る接続ポート拡張装置１００を説明する。図１１は、本考案の第４の実施例に係る接続ポート拡張装置１００の斜視図である。本実施例に係る接続ポート拡張装置１００は、前述した実施例に係る接続ポート拡張装置１００が複数の下流ポート１３１を有するのとは異なり、１つの下流ポート１３１のみを有する。下流ポート１３１及び上流ポート１３２は、いずれもＵＳＢインターフェースの接続ポートである。但し、本考案に係る実施例は、上流ポート１３２、下流ポート１３１がいずれも同一のインターフェースであることに限定されない。
【００４０】
図１２は、本考案の第５の実施例に係る接続ポート拡張装置１００の斜視図である。本実施例の前述した第１の実施例との相違点は、１つの下流ポート１３１のみを有することであり、且つ第４の実施例における上流ポート１３２、下流ポート１３１がいずれも同一のインターフェースであるのとは異なり、本実施例の下流ポート１３１はＩＣカード、キャッシュカード等のカード３００をサポートするリーダーインターフェースであり、上流ポート１３２はＵＳＢをサポートするインターフェースである。
【００４１】
図１３は、本考案の第６の実施例に係る接続ポート拡張装置１００の斜視図である。説明すべきことは、前述した実施例がいずれも単一の上流ポート１３１を例としたのに対し、本考案の実施例はそれに限定されず、接続ポート拡張装置１００は、複数の上流ポート１３１を有してもよく、電子装置２００の複数の接続ポート２３０に対応して接続される。更に、これらの上流ポート１３１は、それぞれ拡張回路モジュール１３０中における異なる変換回路而を介して、異なる１つ又は複数の下流ポート１３２に接続される。
【００４２】
本実施例は、同一のインターフェースである上流ポート１３１を例とするが、これら上流ポート１３１は、それぞれ異なるインターフェースであってもよい。例えば、一方の上流ポート１３１はＵＳＢインターフェースであり、ＵＳＢインターフェースである下流ポート１３２に対応し、且つＳＤメモリカードインターフェースである下流ポート１３２をサポートする。そして他方の上流ポート１３１はオーディオインターフェースであり、オーディオインターフェースである下流ポート１３２に対応する。
【産業上の利用可能性】
【００４３】
このように、本考案に係る接続ポート拡張装置１００は、電子装置２００の後方に位置する接続ポート２３０の挿入接続方向が電子装置２００の前方に向くようにすることができ、使用において便利となる。更に、接続ポート拡張装置１００の湾曲箇所１１７は、ユーザが下流ポート１３２に接続される下流装置を收納するのに有利である。また、位置決め溝１１６の構成によって、電子装置２００の放熱孔２６０を塞ぐことを回避することができるとともに、排熱を補助することができる。また、１つ又は複数の上流ポート１３１と、１つ又は複数の下流ポート１３２と、それらと組み合わされた拡張回路モジュール（マルチプレクサ、ディマルチプレクサ及びプロトコル変換回路を含む）とを設けることによって、電子装置２００の接続ポート２３０の機能と下流装置の接続数とを拡充することができる。
【００４４】
以上、本考案について実施例によって説明したが、これらは本考案を限定するものではなく、当業者は、本考案の趣旨及び範囲を逸脱しない範囲において、本考案に対して変更及び修正を加えることができる。従って、本考案の保護範囲は、本考案の実用新案登録請求の範囲に特定した内容を基準としなければならない。
【符号の説明】
【００４５】
１００      接続ポート拡張装置
１１０      拡張筐体
１１１      ホルダ部
１１２        延在部
１１３      収容空間
１１４      下流開口
１１５      上流開口
１１６      位置決め溝
１１７      湾曲箇所
１１８      扇形
１１９      グリップ部
１２０      首部
１２１      上蓋
１２２      下蓋
１２３      底面
１２４      前側面
１２５      後側面
１２６      ストッパー
１２７      凸リブ
１２８      気流通路
１２９      仕切り箇所
１３０      拡張回路モジュール
１３１      下流ポート
１３２      上流ポート
１３３      回路基板
１３４      導線
２００      電子装置
２１０      装置筐体
２２０      背面
２３０      接続ポート
２４０      前表面
２５０      下表面
２６０      放熱孔
３００      カード
Ａ−Ａ’      断面線
Ｂ、Ｃ      エリア
Ｄ１      接合方法
Ｄ２      延在方向
【図１】
0003189376.tif 000003
【図２】
0003189376.tif 000004
【図３】
0003189376.tif 000005
【図４】
0003189376.tif 000006
【図５Ａ】
0003189376.tif 000007
【図５Ｂ】
0003189376.tif 000008
【図６】
0003189376.tif 000009
【図７】
0003189376.tif 000010
【図８】
0003189376.tif 000011
【図９Ａ】
0003189376.tif 000012
【図９Ｂ】
0003189376.tif 000013
【図１０】
0003189376.tif 000014
【図１１】
0003189376.tif 000015
【図１２】
0003189376.tif 000016
【図１３】
0003189376.tif 000017
【手続補正書】
【提出日】平成25年12月27日(2013.12.27)
【手続補正１】
【補正対象書類名】実用新案登録請求の範囲
【補正対象項目名】請求項１４
【補正方法】変更
【補正の内容】
【請求項１４】
前記開口端は、前記装着状態においてそれぞれ前記装置筐体の複数の放熱孔に対応することを特徴とする請求項１３に記載の接続ポート拡張装置。
【手続補正２】
【補正対象書類名】実用新案登録請求の範囲
【補正対象項目名】請求項１５
【補正方法】変更
【補正の内容】
【請求項１５】
前記位置決め溝は、一端がストッパーに接続されると共に、隣接する２つの前記気流通路の仕切り箇所に対向する、複数の凸リブを更に含むことを特徴とする請求項１３に記載の接続ポート拡張装置。